(57)【要約】【課題】キャッチ機構付きで扁平なヒンジを容易に得ることができる。【解決手段】第１と第２の折り畳みリンク４２、４４は、相互に重合して配置されて共通の枢軸４３Ｐで結合された結合リンクアーム４２Ｂ、４４Ｂをそれぞれ有し、これらの折り畳みリンクの両端は、ケース１側の取付けブラケット２０と扉３側のソケット３０とにそれぞれ枢支され、キャッチ機構１４は、ソケット３０に枢支されて第２の折り畳みリンクの自由リンクアーム４４Ｆに設けられたカム５０と、ソケット３０内に摺動自在に配置されてカム５０に向けて付勢されているカムホロワー６０とから成り、カムホロワー６０は、扉３の閉位置でカム５０の第１のカム面５２に、扉３の開位置でカム５０の第２のカム面５２に係合し、扉３が閉じる際に、カムホロワー６０が第３のカム面６６を乗り越えると、第１のカム面５２への係合である安定状態に移行する。【選択図】        図１０
2007032174.tif 000002
【特許請求の範囲】
【請求項１】
固定物体と前記固定物体に開閉自在に取付けられる可動物体との間に設けられるものであって、前記固定物体に取付けられるべき取付けブラケットと前記可動物体に取り付けられるソケットと前記取付けブラケットとソケットとの間に取り付けられたリンク機構とを含むヒンジ本体と前記ヒンジ本体を可動物体の開方向及び／又は閉方向に付勢するキャッチ機構とを備えたキャッチ機構付きヒンジにおいて、前記ヒンジ本体のリンク機構は、第１と第２の折り畳みリンクから成り、前記第１と第２の折り畳みリンクは、相互に重合するように配置されて共通の枢軸で結合された結合リンクアームをそれぞれ含み、前記第１と第２の折り畳みリンクの両端は、前記取付けブラケットとソケットとにそれぞれ枢支され、前記キャッチ機構は、前記第２の折り畳みリンクの一部を構成するソケット側のリンクアームに設けられたカムと前記ソケット内に摺動自在に配置されて前記カムに向けてばね付勢されているカムホロワーとから成っていることを特徴とするキャッチ機構付きヒンジ。
【請求項２】
請求項１に記載のキャッチ機構付きヒンジであって、前記カムホロワーは、前記ソケットを横切る抜け止めピンを貫通する長孔を有するホルダーと前記ホルダーの先端で前記カムに対向するように設けられたホロワー本体と前記ホロワー本体が前記カムに衝合するように前記ホルダーを付勢するばね付勢手段とから成っていることを特徴とするキャッチ機構付きヒンジ。
【請求項３】
請求項２に記載のキャッチ機構付きヒンジであって、前記ばね付勢手段は、前記ホルダー内に配置され前記抜け止めピンによって押圧されるばねから成っていることを特徴とするキャッチ機構付きヒンジ。
【請求項４】
請求項１乃至３のいずれかに記載のキャッチ機構付きヒンジであって、前記カムは、前記可動物体の閉位置又は開位置で前記カムホロワーが係合する第１のカム面と前記可動物体の開位置又は閉位置で前記カムホロワーが係合する第２のカム面と前記第１と第２のカム面の間で前記カムホロワーが不安定な状態で係合する第３のカム面とから成っていることを特徴とするキャッチ機構付きヒンジ。
【請求項５】
請求項１乃至４のいずれかに記載のキャッチ機構付きヒンジであって、前記第カムは、前記リンクアームに一体的に形成されていることを特徴とするキャッチ機構付きヒンジ。
【発明の詳細な説明】
【技術分野】
【０００１】
本発明は、扉等の可動物体をケース等の固定物体の正面に位置して閉じたり固定物体の正面にほぼ平行な位置まで開いたりするのに用いられるキャッチ機構付きヒンジに関し、特にケースの天板と底板等の如き固定物体の上下の薄い板部分とそれに対応する可動物体との間に取付けることができるのに好適に利用することができるキャッチ機構付きヒンジに関するものである。
【背景技術】
【０００２】
扉等の可動物体をケース等の固定物体の正面に位置して閉じたり固定物体の正面にほぼ平行な位置まで開いたりするために固定物体と可動物体との間にヒンジが取り付けられるが、このヒンジに可動物体の開方向及び／又は閉方向に付勢するキャッチ機構を備えているものがある。この種のヒンジは、可動物体が固定物体に閉じられる際に、キャッチ機構が固定物体であるケースの内部空間に張り出すので、内部空間を有効利用するために、ケースの天板と底板の如き垂直寸法が比較的小さい薄い板部分にヒンジを取り付けることが要求される。
【０００３】
従来技術において、ケースの天板と底板の如き垂直寸法が比較的小さい板部分に取付けられるヒンジが提案されている（特許文献１参照）。このヒンジは、ケースの天板と底板とにそれぞれ固定された取付けブラケットと、この取付けブラケットにケースの奥行き方向に水平移動するように２つのリンクアームで結合された略Ｌ字形進退アームとから成り、この進退アームのＬ字の先端である自由端がカム機構を介して扉に取付けられている。  
【０００４】
このヒンジは、ケースに対して進退アームを出し入れし、進退アームをケースから突出した状態で扉がカム機構で案内されながら閉じた状態から半開き状態を経て１８０度完全に開いた状態まで開くことができ、逆の動作を経て扉を閉じるようになっている。
【０００５】
しかし、この構造であると、取付けブラケットと進退アームと扉とがそれぞれ独立して枢動するように構成されているので、扉の開閉時に、すべての構成部品が相互に動きが拘束されるキャッチ機構を取り付けることができない欠点があった。
【０００６】
【特許文献１】実用新案登録第２５６５８７３号公報
【発明の開示】
【発明が解決しようとする課題】
【０００７】
本発明が解決しようとする課題は、ケースの天板や底板の如き固定物体の上下部分と可動物体との間に扁平状態で取り付けることができ、且つキャッチ機構を付加して可動物体の固定物体に対して開方向又は閉方向に付勢することができるようにしたキャッチ機構付きヒンジを提供することにある。
【課題を解決するための手段】
【０００８】
本発明は、固定物体とこの固定物体に開閉自在に取付けられる可動物体との間に設けられるものであって、固定物体に取付けられるべき取付けブラケットと可動物体に取り付けられるソケットと取付けブラケットとソケットとの間に取り付けられたリンク機構とを含むヒンジ本体とこのヒンジ本体を可動物体の開方向及び／又は閉方向に付勢するキャッチ機構とを備えたキャッチ機構付きヒンジにおいて、ヒンジ本体のリンク機構は、第１と第２の折り畳み自在なリンクから成り、第１と第２の折り畳みリンクは、相互に重合するように配置されて共通の枢軸で結合された結合リンクアームをそれぞれ含み、第１と第２の折り畳みリンクの両端は、取付けブラケットとソケットとにそれぞれ枢支され、キャッチ機構は、第２の折り畳みリンクの一部を構成するソケット側のリンクアームに設けられたカムとソケット内に摺動自在に配置されてカムに向けてばね付勢されているカムホロワーとから成っていることを特徴とするキャッチ機構付きヒンジを提供することにある。
【０００９】
本発明の課題解決手段において、カムホロワーは、ソケットを横切る抜け止めピンを貫通する長孔を有するホルダーとこのホルダーの先端でカムに対向するように設けられたホロワー本体とこのホロワー本体がカムに衝合するようにホルダーを付勢するばね付勢手段とから成っているものとすることができる。ホロワー本体は、ホルダーとは別体でホルダーに取り付けてもよいし、ホルダーと一体であってもよい。
【００１０】
ばね付勢手段は、ホルダー内に配置され抜け止めピンによって押圧されるばねから成っているのが好ましい。
【００１１】
また、カムは、可動物体の閉位置又は開位置でカムホロワーが係合する第１のカム面と可動物体の開位置又は閉位置でカムホロワーが係合する第２のカム面とこれらの第１と第２のカム面の間でカムホロワーが不安定な状態で係合する第３のカム面とから成っている形態とすることができる。また、このカムは、このカムが設けられるリンクアームに一体的に形成されているのが望ましいが、リンクアームとは別体でこのリンクアームに取り付けられていてもよい。
【発明の効果】
【００１２】
本発明によれば、リンク機構は、第１と第２の折り畳み自在なリンクから成り、第１と第２の折り畳みリンクは、相互に重合するように配置されて共通の枢軸で結合された結合リンクアームそれぞれ含んでいるので、第１と第２の折り畳みリンクとは相互に重合して扁平に形成することができ、従ってケースの天板や底板の如き固定物体の上下部分と可動物体との間に扁平状態で取り付けることができる。
【００１３】
また、キャッチ機構は、このように、第１の折り畳みリンクに共通の枢軸で相互に結合された第２の折り畳みリンクの一部を構成するソケット側のリンクアームとソケットとの間に設けられているので、キャッチ機構は、ヒンジ本体を固定物体に対して可動物体の開方向及び／又は閉方向に確実に付勢するように働き、ヒンジの扁平状態を維持しながらキャッチ機能を付与することができる。
【００１４】
更に、キャッチ機構のカムは、第２の折り畳みリンクの一部を構成するソケット側のリンクアームに設けられ、またこのカムに係合するカムホロワーは、可動物体に取り付けられるソケット内に摺動自在に配置されてカムに向けてばね付勢されているので、カムホロワーは、ソケット内を直線的に移動するだけであり、従ってキャッチ機構の動きは単純で構造が簡単となる。
【発明を実施するための最良の形態】
【００１５】
本発明の実施の形態を図面を参照して詳細に述べるが、図１乃至図４は、本発明のキャッチ機構付きヒンジ１０の取り付け状態を示し、図５は、本発明のキャッチ機構付きヒンジ１０の分解状態を示し、図６乃至図１１は、本発明のキャッチ機構付きヒンジ１０の非取り付け状態（ケースや扉から取り外した状態）を示している。このキャッチ機構付きヒンジ１０の完全に開いた状態が図１、図２及び図９乃至図１１に示されており、このキャッチ機構付きヒンジ１０の完全に閉じた状態が図３、図６乃至図８に示されており、またこのキャッチ機構付きヒンジ１０の半開き状態が図４に示されている。
【００１６】
本発明のキャッチ機構付きヒンジ１０は、図１乃至図４に示すように、固定物体の一例である筐体１の開口２とこの固定物体に開閉自在に取り付けられる可動物体の一例である扉３との間に取り付けられる。
【００１７】
このキャッチ機構付きヒンジ１０は、筐体１の天板１Ｕ２の開口２側の凹み１ＵＲ内に取り付けられる取付けブラケット２０と扉３の対応する縁部３Ｅの内面に取り付けられるソケット３０とこの取付けブラケット２０とソケット３０との間に取り付けられたリンク機構４０とを含むヒンジ本体１２と、このヒンジ本体１２が扉３を開く際と閉じる際とにヒンジ本体１２を扉３の開方向又は閉方向に付勢するキャッチ機構１４とを備えている。  
【００１８】
取付けブラケット２０は、図１乃至図４に示すように、筐体１の天板１Ｕの凹み１ＵＲの側面に取り付けられる側板部２０Ｔとその両側から水平に一体に形成された１対の上下の板部２０Ｕ、２０Ｌとから成っていて全体的に横U字状の形態を有し、上下の板部２０Ｕ、２０Ｌに設けられた２つのねじ貫通孔２０Hを貫通する止めねじ２０Ｓ（図２乃至図４参照）によって筐体１に固定される。
【００１９】
ソケット３０は、同じく図１乃至図５に示すように、垂直板部３０Tとこの垂直板部３０Ｔの両側に水平に一体に設けられた１対の上下の板部３０Ｕ、３０Ｌとから成り、垂直板部３０Ｔが扉３の内面に設けられた凹部３Ｒの底面に係合するように全体を凹部３Ｒ内に収納し、上下の板部３０Ｕ、３０Ｌのねじ孔３０Ｈを貫通する止めねじ３０Ｓ（図２乃至図４参照）によって扉３の内面に固定される。
【００２０】
取付けブラケット２０とソケット３０との間に取り付けられるリンク機構４０は、特に、図２及び図１０から解るように、第１と第２の２組の折り畳みリンク４２、４４から成り、これらの第１と第２の折り畳みリンク４２、４４は、図示の形態では、相互に重合して噛み合わせられるように配置されて共通の枢軸４３Ｐで結合された結合リンクアーム４２Ｂ、４４Ｂと同様にしてこれらの結合リンクアーム４２Ｂ、４Ｂに相互に重合して噛み合うように配置されそれぞれ枢軸４２Ｐ１、４４Ｐ１で枢支された自由リンクアーム４２Ｆ、４４Ｆとから成っている。図示の例では、結合リンクアーム４２Ｂは、結合リンクアーム４４Ｂの内側に重合しており、また自由リンクアーム４２Ｆは、結合リンクアーム４２Ｂの外側に重合しており、自由リンクアーム４４Ｆは、結合リンクアーム４４Ｂの内側に重合しており、且つ第１及び第２の自由リンクアーム４２Ｆ、４４Ｆは、第１と第２のリンク４２、４４の折り畳み状態（図３、図６乃至図８参照）で第２及び第１の結合リンクアーム４４Ｂ、４２Ｂに干渉することがないように形成されている。
【００２１】
第１の折り畳みリンク４２の両端は、取付けブラケット２０とソケット３０とにそれぞれ枢支されている（図２及び図１０参照）。これを詳細に述べると、第１の折り畳みリンク４２の自由リンクアーム４２Ｆの自由端は、枢軸４２Ｐ２によって取付けブラケット２０の中間付近に枢支され、第１のリンク４２の結合リンクアーム４２Ｂの自由端は、枢軸４２Ｐ３によってソケット３０の手前（ケース１寄り側）に枢支されている。
【００２２】
同様にして、第２の折り畳みリンク４４の両端も、取付けブラケット２０とソケット３０とにそれぞれ枢支されている（図２及び図１０参照）。これを詳細に述べると、第２のリンク４４の自由リンクアーム４４Ｆの自由端は、枢軸４４Ｐ３によってソケット３０の中間付近に枢支され、第２の折り畳みリンク４４の結合リンクアーム４４Ｂの自由端は、枢軸４４Ｐ２によって取付けブラケット２０の手前（扉３寄り側）に枢支されている。
【００２３】
図３及び図６乃至図８の扉３が閉じた状態では、取付けブラケット２０とソケット３０とは相互に直角に配置され、この配置では、特に、図７から解るように、第１及び第２の折り畳みリンク４２、４４はいずれもそのリンクアーム４２Ｂ、４２Ｆ及び４４Ｂ、４４Ｆが折り畳まれて第１の折り畳みリンク４２は、取付けブラケット２０内に収納され、第２の折り畳みリンク４４は、折り畳まれた状態で取付けブラケット２０とソケット３０との間に斜めに位置している。この場合、図７から解るように、第１の折り畳みリンク４２と第２の折り畳みリンク４４とは内外に重合して相互に干渉することがないようになっている。
【００２４】
図４の扉３が半開きの状態では、取付けブラケット２０とソケット３０とはほぼ一直線上になるようにソケット３０が図３の閉じた位置から反時計方向に９０度回転して取付けブラケット２０に対して１８０度の角度で配置され、この配置では、第１及び第２の折り畳みリンク４２、４４のいずれもそのリンクアームアーム４２Ｂ、４２Ｆ及び４４Ｂ、４４Ｆを折畳み状態から若干角度が広がった状態に展開しつつ第１の折り畳みリンク４２は、取付けブラケット２０から立ち上がり、第２の折り畳みリンク４４は、天板２の開口からケース１外に張り出した位置となる。
【００２５】
図１、図２及び図９乃至図１１の扉３が完全に開いた状態では、ソケット３０は、図４の半開き位置から反時計方向に更に９０°回転して取付けブラケット２０に対して２７０°の位置に配置され、この配置では、第１及び第２の折り畳みリンク４２、４４のいずれもそのリンクアームアーム４２Ｂ、４２Ｆ及び４４Ｂ、４４Ｆが図４の状態から更に展開してほぼ９０度付近まで展開しつつ、第１の折り畳みリンク４２は、図４の位置から更にケース１の外に張り出すように移動し、一方、第２のリンク４４は、扉３の開きに応じてソケット３０から離れるように相対的に移動する。
【００２６】
キャッチ機構１４は、図１０及び図１１から解かるように、ソケット３０に枢支されてリンク機構４０の第２の折り畳みリンク４４の一部を構成する自由リンクアーム４４Ｆの先端に設けられたカム５０と、ソケット３０内に摺動自在に配置されてカム５０に向けてばね付勢されているカムホロワー６０とから成っている（図２乃至図４、図７、図１０及び図１１参照）。
【００２７】
図示の形態では、カム５０は、図１２に示すように、第２のリンク４４の自由リンクアーム４４Ｆの先端に一体になるようにこのリンクアーム４４Ｆに適宜の手段で取付けられている。このカム５０は、扉３の閉位置（図３参照）でカムホロワー６０が安定状態で係合するように凹んでいる第１のカム面５２と扉３の開位置（図１０参照）でカムホロワー６０が係合するほぼ平坦な第２のカム面５４とこれらの第１と第２のカム面５２、５４の間でカムホロワー６０が不安定な状態で係合する第３のカム面５６とから成っている（図１２参照）。
【００２８】
図２及び図７から解るように、これらのカム面５２、５４及び５６は、第２のリンク４４の自由リンクアーム４４Ｆをソケット３０に枢支する枢支するピン４４Ｐ３を回転軸線として形成されている。
【００２９】
カムホロワー６０は、特に、図２乃至図４、図７及び図１０に示すように、ソケット３０の上下の板部３０Ｕ、３０Ｌを横切る２つの抜け止めピン３０Ｐ１、３０Ｐ２が貫通する長孔６２Ｈ１、６２Ｈ２をそれぞれ有するホルダー６２（図１３参照）と、このホルダー６２の先端に回転軸６４Ｓによって回転自在に支持されたローラの形態のホロワー本体６４と、ホロワー本体６４がカム面５２、５４、５６に衝合するようにホルダー６２を付勢するばね付勢手段６６とから成っている。
【００３０】
ばね付勢手段６６は、ホルダー６２内に配置され抜け止めピン３０Ｐ２によって押圧されるコイルばねの形態のばね７０から成っている。図示の形態では、このばね７０は、ホルダー６２のばね収容溝６２Ｇ（図１３参照）に配置されている。このばね７０は、後方の抜け止めピン３０Ｐ２によって圧縮されてホルダー６２、即ちホロワー本体(ローラ)６４をカム５０に向けて付勢している。
【００３１】
このキャッチ機構１４のカム５０は、リンクアーム４２、４４と同様に金属製としてもよいし、滑りのよい樹脂製としてもよく、またカムホロワー６０のホルダー６２、ホロワー本体６４は、滑りのよい樹脂その他の材料から作られるのが好ましい。
【００３２】
上記のキャッチ機構付きヒンジ１０の動作を述べると、既に述べたように、扉３が筐体１の開口２を閉じた状態では、図３に示すように、リンク機構４０の第１及び第２の折り畳みリンク４２、４４が折り畳まれた状態で第１の折り畳みリンク４２は、取付けブラケット２０内に収納され、第２の折り畳みリンク４４は、筐体１と扉３との間（取付けブラケット２０とソケット３０との間）に斜めに位置している。このとき、図３及び図７に示すように、キャッチ機構１４のカムホロワー６０は、カム５０の第１のカム面５２に衝合して、このリンク機構４０がこの折り畳み状態を安定して維持している。
【００３３】
次に、この状態から扉３を開くと、ヒンジ本体１２のリンク機構４０は、既に述べたように、第１及び第２の折り畳みリンク４２、４４が枢軸４３Ｐ、４２Ｐ１乃至４２Ｐ３、４４Ｐ１乃至４４Ｐ３でリンク運動して、図４に示すように、第１及び第２の折り畳みリンク４２及び４４の折り畳み状態から展開しつつ、ケース１の天板１Ｕから張り出し、扉３が完全に開いた状態では、図１、図２及び図９乃至図１１に示すように、キャッチ機構１４のカムホロワー６０がカム５０の第２のカム面５４に係合していて扉３が開いた状態を維持している。なお、扉３が完全に閉じた位置から完全に開いた位置までの間では、カムホロワー６０がカム５０の不安定な第３のカム面５６に係合しており、完全に開いた位置か閉じた位置へ扉３を誘導するように機能しているが、図４の半開きの位置で安定に維持されるように安定なカム面を形成してもよい。
【００３４】
図１、図２及び図９乃至図１１の扉３が完全に開いた位置から扉３を再び閉じると、ヒンジ本体１２のリンク機構４０の第１及び第２の折り畳みリンク４２、４４が扉３を開く方向とは反対方向にリンク運動して、第１の折り畳みリンク４２が折り畳まれながら取付けブラケット２０に入り込み、また第２の折り畳みリンク４４も折り畳まれながら、ケース１の天板１Ｕ内に入り込み、扉３が完全に閉じた状態では、取付けブラケット２０とソッケット３０との間で斜めに位置する。この際、キャッチ機構１４のカム５０は、第２のリンク４４の自由リンクアーム４４Ｆに設けられているので、扉３を閉じる過程で、その第１のカム面５２に衝合しているカムホロワー６０は、ばね７０に抗して後退しながらカム５０の第３のカム面５６に沿って移動し、扉３が完全に閉じる位置になると、ばね７０によって第２の折り畳みリンク４４及び枢軸４３Ｐによってこの第２の折り畳みリンク４４に結合されている第１の折り畳みリンク４２が折り畳まれるように駆動され、図３の扉３を閉じた状態に付勢される。
【００３５】
特に、カムホロワー６０のホルダー６２及びホロワー本体６４が滑りのよい樹脂製であると、ホルダー６２がソケット３０内を摺動する際の動きやホロワー本体６４がカム５０上を倣う際の動きが円滑に行われるので、キャッチ機構１４の動作を円滑にして扉３の開閉を緩衝的に行うことができる。
【００３６】
このように、第１と第２のリンク４２、４４が相互に重合することができるように構成されているので、ヒンジは、リンク機構の枢軸の軸線方向の間隔を小さくして扁平に形成することができ、従ってこのヒンジは、ケースの天板と底板等のように固定物体の上下の厚みの小さい部分に取り付けることができ、固定物体内の容積を制約することがないことが解る。
【００３７】
また、第１と第２の折り畳みリンク４２、４４は、相互に結合されているので、第２の折り畳みリンク４４とソケット３０との間にキャッチ機構１４を設けて固定物体であるケース１と可動物体である扉３との間でケース１に対する扉３の開閉状態を維持することができ、キャッチ機構付き扁平ヒンジを容易に得ることができる。
【００３８】
更に、キャッチ機構１４は、そのカム５０がソケット３０に枢支されて第２のリンク４４の一部を構成する自由リンクアーム４４Ｆに設けられ、このカム５０に係合するカムホロワー６０がソケット３０内に摺動自在に配置されてカム５０に向けてばね付勢されているので、カムホロワー６０は、ソケット３０内を直線的に動くだけであることが解る。
【００３９】
また、カムホロワー６０は、ヒンジ１０のソケット３０を利用してこのソケット３０内に差し込むだけで組立てることができるので、カムホロワー６０の組み立てが容易となる。
【００４０】
なお、上記実施例では、扉３を閉じる方向にヒンジ本体１２を付勢してカムホロワー６０のホロワー本体６４がホルダー６２とは別体であってホルダー６２に回転軸４４Ｐ３によって取り付けられているが、ホロワー本体６４は、ホルダー６２と一体に形成されていてもよい。
【００４１】
更に、上記実施例では、キャッチ機構１４は、カム５０とカムホロワー６０とが扉３の閉じる動きの中で扉３を閉じた状態で安定に保持しているが、扉３を開く動きの中で扉３を開く方向にヒンジ本体１２を付勢してもよいし、扉３を閉じる方向と開く方向との両方に付勢してもよい。
【産業上の利用可能性】
【００４２】
本発明によると、ヒンジを扁平に形成して固定物体の上下の薄い板に取付けることができる上に扁平なヒンジであってもキャッチ機構を設けることができ、従って、例えば、ケースの天板や底板等に取り付けてケースの内部空間がキャッチ機構付きヒンジによって制約を受けることがなく、ケースの内部空間を有効に利用することができ、キャッチ機構付きヒンジの利用性を向上することができる。
【図面の簡単な説明】
【００４３】
【図１】本発明の１つの形態によって組立てられたキャッチ機構付きヒンジを扉と筐体との間に取付けて扉を完全に開いた状態で示す斜視図である。
【図２】図１のキャッチ機構付きヒンジの水平断面図である。
【図３】図１のキャッチ機構付きヒンジの完全に閉じた状態の水平断面図である。
【図４】図１のキャッチ機構付きヒンジの半開き状態の水平断面図である。
【図５】図１のキャッチ機構付きヒンジの筐体と扉とを省略した分解斜視図である。
【図６】筐体と扉とを省略した図１のキャッチ機構付きヒンジの完全閉状態の側面図である。
【図７】図６と同じ状態であるが、キャッチ機構付きヒンジの断面図である。
【図８】図６及び図７と同じ状態であるが、キャッチ機構付きヒンジの斜視図である。
【図９】筐体と扉とを省略した図１のキャッチ機構付きヒンジの完全開状態の側面図である。
【図１０】図９と同じ状態であるが、キャッチ機構付きヒンジの断面図である。
【図１１】図９及び図１０と同じ状態であるが、キャッチ機構付きヒンジの斜視図である。
【図１２】本発明のキャッチ機構付きヒンジに用いられるカム付きの第２の折り畳みリンク用の自由リンクアームを示し、同図（Ａ）は、その組立斜視図、同図（Ｂ）はその分解斜視図である。
【図１３】本発明のキャッチ機構付きヒンジに用いられるキャッチ機構のホルダーの拡大斜視図である。
【符号の説明】
【００４４】
１      筐体（固定物体）
１Ｕ    天板
１ＵＲ  凹み
２      開口
２Ｒ    凹み
３      扉（可動物体）
３Ｒ    凹部
１０      キャッチ機構付きヒンジ
１２      ヒンジ本体
１４      キャッチ機構
２０      取付けブラケット
２０Ｔ    側板部
２０Ｕ、２０Ｌ  上下の板部
２０Ｈ    ねじ孔
３０      ソケット
３０Ｔ    側板部
３０Ｈ    ねじ孔
３０Ｕ、３０Ｌ  上下の板部
３０Ｐ１、３０Ｐ２  抜け止めピン
４０      リンク機構
４２      第１の折り畳みリンク
４２Ｂ    結合リンクアーム
４２Ｆ    自由リンクアーム
４２Ｐ１乃至４２Ｐ３  枢軸
４３Ｐ    枢軸
４４      第２の折り畳みリンク
４４Ｂ    結合リンクアーム
４４Ｆ    自由リンクアーム
４４Ｐ１乃至４４Ｐ３  枢軸
５０      カム
５２      第１のカム面
５４      第２のカム面
５６      第３のカム面
６０      カムホロワー
６２      ホルダー
６２Ｇ    ばね収容溝
６２Ｈ１、６２Ｈ２  長孔
６４      ホロワー本体
６４Ｓ    回転軸  
６６      ばね付勢手段
７０      ばね
【図１】
2007032174.tif 000003
【図２】
2007032174.tif 000004
【図３】
2007032174.tif 000005
【図４】
2007032174.tif 000006
【図５】
2007032174.tif 000007
【図６】
2007032174.tif 000008
【図７】
2007032174.tif 000009
【図８】
2007032174.tif 000010
【図９】
2007032174.tif 000011
【図１０】
2007032174.tif 000012
【図１１】
2007032174.tif 000013
【図１２】
2007032174.tif 000014
【図１３】
2007032174.tif 000015